(57)【要約】【課題】寿命検出時間のばらつきを小さくし、照明用点灯装置が寿命によって故障する前に、確実に機能を停止する照明用点灯装置、及びそれを用いた照明器具を提供する。【解決手段】光源５を点灯させる光源点灯回路４と、累積使用時間によって容量が低減するコンデンサＣＸ１、ＣＸ２を具備した寿命検出回路６ａ、６ｂを備えるの寿命検出部６と、コンデンサＣＸ１、ＣＸ２のうち一つでも所望の容量まで低減した場合、抵抗Ｒ１に電流Ｉが流れることで抵抗Ｒ１に両端電圧が生じる寿命信号生成部７と、抵抗Ｒ１の両端電圧を検出し、光源５を消灯させる消灯制御部８とを備えることを特徴とする。【選択図】図１
2011096413.tif 000002
【特許請求の範囲】
【請求項１】
光源を点灯させる光源点灯回路と、
累積使用時間によって特性が変化する特性変化素子を具備した寿命検出回路を複数備える寿命検出部と、
特性変化素子が一つでも所望の特性まで変化した場合、寿命信号を生成する寿命信号生成部と、
寿命信号が出力されると、光源を消灯させる消灯制御部とを備えることを特徴とする照明用点灯装置。
【請求項２】
前記寿命検出素子のうち、少なくとも一つはフィルムコンデンサまたは電解コンデンサで構成されていることを特徴とする請求項１記載の照明用点灯装置。
【請求項３】
前記光源点灯回路は、交流電圧を整流して平滑する整流平滑回路を備えており、前記特性変化素子は、整流平滑回路の出力端間に設けられることを特徴とする請求項１または２記載の照明用点灯装置。
【請求項４】
前記光源点灯回路は、直流電圧を出力する直流電源回路を備えており、前記特性変化素子は、直流電源回路の出力端間に設けられることを特徴とする請求項１または２記載の照明用点灯装置。
【請求項５】
請求項１乃至４のいずれか１項に記載の照明用点灯装置と、当該照明用点灯装置によって点灯する光源とを備えることを特徴とする照明器具。
【発明の詳細な説明】
【技術分野】
【０００１】
本発明は、照明用点灯装置、及びそれを用いた照明器具に関するものである。
【背景技術】
【０００２】
従来より、光源を点灯させる照明用点灯装置において、点灯装置が寿命であるか否かを判別する寿命判別手段を備えた照明用点灯装置が提供されている（例えば、特許文献１）。
【０００３】
図５に従来例１の放電灯点灯装置の概略構成図、図６に寿命制御回路の回路構成図を示す。
【０００４】
従来例１の放電灯点灯装置に備えられた電子安定器１１０は、交流電源ＡＣからのヒューズＦを介しての出力を整流する整流回路１１と、整流回路１１からの整流出力を平滑する平滑回路１２と、平滑回路１２により平滑された直流電圧をチャージする大型の電解コンデンサＣと、平滑回路１２を制御する制御回路１５と、電解コンデンサＣからの直流電圧を高周波の交流電圧に変換し、ランプ負荷１４に出力するインバータ回路１３と、インバータ回路１３を制御するインバータ制御回路１６と、ランプ負荷１４の状態を検出しインバータ制御回路１６を制御する検出制御回路１７とで構成されている。
【０００５】
また、本従来例の放電灯点灯装置には、電子安定器１１０が寿命であるか否かを判別する寿命制御回路３３が備えられている。寿命制御回路３３は、高周波の脈流電圧が印加される電圧源ＶＡとアースとの間に抵抗Ｒ１２とコンデンサＣＸ１０が直列に接続されており、抵抗Ｒ１２とコンデンサＣＸ１０との接続点とアースとの間には放電抵抗である抵抗Ｒ１１が接続されている。また、コンパレータＣＰの正極入力端子には、抵抗Ｒ１２とコンデンサＣＸとの間に電圧が入力され、負極入力端子には、所定の基準電圧Ｖｒｅｆが入力されている。そして、コンパレータＣＰの出力端子はコンデンサＣｃの高電位側に接続されるとともに、トランジスタＱ７のベースに接続される。このトランジスタＱ７はエミッタがアースに接続され、コレクタが抵抗Ｒ１３を介して電圧源ＶＢに接続されるとともに、抵抗Ｒ１４、発光ダイオードＬＥＤ１を介してアースに接続される。
【０００６】
ここで、抵抗Ｒ１１、Ｒ１２、コンデンサＣＸ１０により積算手段なる積算回路３０が構成され、コンパレータＣＰ、基準電圧Ｖｒｅｆにより寿命判別手段なる寿命判別回路３１が構成され、コンデンサＣｃ、抵抗Ｒ１３、Ｒ１４、トランジスタＱ７、発光ダイオードＬＥＤにより制御手段なる寿命報知回路３２が構成される。
【０００７】
積算回路３０において、コンデンサＣＸ１０は寿命部品であり、時間経過につれてその容量が減退する。ここで、コンデンサＣＸ１０にチャージされる電圧を脈流とすることで、コンデンサＣＸ１０の容量の減退により平滑度が低下し、コンデンサＣＸ１０の両端電圧が低下する。このコンデンサＣＸ１０の両端電圧より時間経過が分かり、電子安定器の使用開始とともにコンデンサＣＸ１０を用いることで、電子安定器の使用時間を検出できる。
【０００８】
上記の構成で、放電灯を点灯制御する電子安定器１１０の近傍に、積分回路３０と寿命判別回路３１と寿命報知回路３２からなる寿命制御回路３３が設置されいる。寿命判別回路３１のコンパレータＣＰは、コンデンサＣＸ１０に充電される電圧源ＶＡからの電圧を基準電圧Ｖｒｅｆと比較し、コンデンサＣＸ１０の充電電圧が基準電圧Ｖｒｅｆ以下に低下したと判別したときに、寿命報知回路３２の発光ダイオードＬＥＤを点灯させて、電子安定器１１０が寿命であることを報知する。
【０００９】
また、従来例２として、寿命検出部６０を備えた照明用点灯装置を図７を用いて説明する。図７は、従来例２の照明用点灯装置の概略構成図である。
【００１０】
従来例２の照明用点灯装置は、図示しない整流ダイオードと平滑コンデンサを備え、交流電源ＡＣが出力する交流電圧を整流して平滑する整流平滑回路１と、整流平滑回路１が出力する整流出力から直流電圧を生成して出力する直流電源回路２と、直流電源回路２が出力する直流電圧を高周波の交流電圧に変換し、光源５に高周波電力を供給する高周波電源３とからなる光源点灯回路４と、光源点灯回路４の寿命を検出する寿命検出部６０と、寿命検出部６０の検出結果に基づいて、寿命信号を生成する寿命信号生成部７０と、寿命信号が出力されると光源５を消灯させる消灯制御部８とで構成されている。
【００１１】
寿命検出部６０は、整流平滑回路１の出力端間に設けられており、コンデンサＣ２０、ＣＸ２０の直列回路（寿命検出回路）で構成されている。寿命信号生成部７０は、ダイオードＤ２０と抵抗Ｒ２０と定電圧を出力する直流電源Ｅとで構成されており、コンデンサＣＸ２０と並列に、ダイオードＤ２０と抵抗Ｒ２０と直流電源Ｅの直列回路が接続されている。また、ダイオードＤ２０のカソードは抵抗Ｒ１を介して直流電源の正極に接続されている。
【００１２】
上記の構成において、整流平滑回路１が出力する整流出力がコンデンサＣ２０、ＣＸ２０とで分圧され、コンデンサＣＸ２０の両端電圧Ｖｃｘ２０と、直流電源Ｅの出力電圧Ｖｅとの大小関係によって抵抗Ｒ２０に電流Ｉが流れ、抵抗Ｒ１に両端電圧（寿命信号）が生じる。初期状態における、コンデンサＣＸ２０の両端電圧Ｖｃｘ２０と直流電源Ｅの出力電圧Ｖｅの関係はＶｃｘ２０＜Ｖｅであり、抵抗Ｒ２０に電流Ｉは流れない。しかし、累積使用時間が増大するにしたがって、劣化によりコンデンサＣＸ２０の容量が低減することによって、コンデンサＣＸ２０のコンダクタンスが増加し、両端電圧Ｖｃｘ２０が大きくなる。そして、Ｖｃｘ２０＞Ｖｅとなると、抵抗Ｒ２０に電流Ｉが流れる。
【００１３】
そして、消灯制御部８は抵抗Ｒ１の両端電圧（寿命信号）を検出しており、抵抗Ｒ１に電流Ｉが流れ、対向Ｒ１の両端電圧が所定値を上回ると、光源点灯回路４は累積使用時間の増大による寿命であると判断し、高周波電源３と光源５との間に設けられたスイッチＳＷをオフし、光源５を消灯する。
【００１４】
上記の構成によって、本従来例の照明用点灯装置は、劣化によるコンデンサＣＸ２０の容量が低減する特性を用いて、照明用点灯装置の寿命を検出し、光源４をオフするものである。
【先行技術文献】
【特許文献】
【００１５】
【特許文献１】特開２０００−３４０３７８号公報
【発明の概要】
【発明が解決しようとする課題】
【００１６】
しかし、従来例１および従来例２では、１つのコンデンサ（コンデンサＣＸ１０、ＣＸ２０）のみを用いて寿命を検出しているため、コンデンサの個体差によって初期容量や、劣化による容量の低減する速度が異なり、寿命検出時間のばらつきが大きくなる問題がある。また、周囲温度や湿度等の使用環境によっても、コンデンサの容量が低減する速度が異なり、寿命検出時間のばらつきが大きくなる。寿命検出時間のばらつきが大きいことによって寿命検出時間が遅くなると、点灯装置を構成する回路素子の寿命が経過しているにも関わらず寿命検出されず、そのまま使用し続けると、例えば回路素子が発熱して点灯装置に故障が発生し、危険な状態となるおそれがある。
【００１７】
図８に、従来例２の照明用点灯装置における、累積使用時間に対する点灯装置の故障確率の分布Ａおよび、寿命検出時間の分布Ｃを示す。分布Ａは、回路素子の寿命が経過したことによる点灯装置が故障する確率の分布であり、累積使用時間がｔａ１〜ｔａ３間に点灯装置の故障が発生し、累積使用時間ｔａ２が最も点灯装置の故障確率が高い。また、分布Ａの平均値はｔａ２であり、分布Ａはｔａ２を軸に略対称に形成されている。
【００１８】
また、分布Ｃは、寿命検出部６０による寿命検出時間の分布であり、累積使用時間がｔｃ１〜ｔｃ３間に点灯装置の寿命を検出し、累積使用時間ｔｃ２が最も点灯装置の寿命を検出している時間である。また、分布Ｃの平均値はｔｃ２であり、分布Ｃはｔｃ２を軸に略対称に形成されている。なお、分布Ａの平均値ｔａ２と分布Ｃの平均値ｔｃ２の関係は、ｔｃ２＜ｔａ２であり、理想的には、点灯装置が故障する前に寿命を検出して消灯する。
【００１９】
しかし、上記で説明したように、寿命検出時間のばらつきが大きいため、点灯装置の故障確率の分布Ａと寿命検出時間の分布Ｃとが重なる面積Ｓ２が大きく、寿命を検出していないのにも関わらず、点灯装置に故障が発生し、危険な状態となる確率が高い。
【００２０】
本発明は、上記事由に鑑みてなされたものであり、その目的は、寿命検出時間のばらつきを小さくし、照明用点灯装置が寿命によって故障する前に、確実に機能を停止する照明用点灯装置、及びそれを用いた照明器具を提供することにある。
【課題を解決するための手段】
【００２１】
請求項１の発明は、光源を点灯させる光源点灯回路と、累積使用時間によって特性が変化する特性変化素子を具備した寿命検出回路を複数備える寿命検出部と、特性変化素子が一つでも所望の特性まで変化した場合、寿命信号を生成する寿命信号生成部と、寿命信号が出力されると、光源を消灯させる消灯制御部とを備えることを特徴とする。
【００２２】
請求項１の発明によれば、特性変化素子を具備した寿命検出回路を複数備え、特性変化素子が一つでも所望の特性まで変化すると寿命信号を出力するので、特性変化素子の個体差による寿命検出時間のばらつきを小さくすることができ、照明用点灯装置が寿命によって故障する前に、確実に機能を停止（消灯）することができる。
【００２３】
請求項２の発明は、請求項１の発明において、前記寿命検出素子のうち、少なくとも一つはフィルムコンデンサまたは電解コンデンサで構成されていることを特徴とする。
【００２４】
請求項２の発明によれば、フィルムコンデンサまたは電解コンデンサは、使用環境によって劣化による容量の低減する度合いが大きいので、照明用点灯装置の使用環境に応じた寿命を検出することができる。
【００２５】
請求項３の発明は、請求項１または２記載の発明において、前記光源点灯回路は、交流電圧を整流して平滑する整流平滑回路を備えており、前記特性変化素子は、整流平滑回路の出力端間に設けられることを特徴とする。
【００２６】
請求項３の発明によれば、整流平滑回路の出力端間に特性変化素子を設けることによって、特性変化素子に印加される電圧の変動が少ないので、累積使用時間による特性の変化を検出しやすく、寿命を検出する精度が向上する。
【００２７】
請求項４の発明は、請求項１または２記載の発明において、前記光源点灯回路は、直流電圧を出力する直流電源回路を備えており、前記特性変化素子は、直流電源回路の出力端間に設けられることを特徴とする。
【００２８】
請求項４の発明によれば、直流電源回路の出力端に特性変化素子を設けることによって、入力電圧に関わらず、特性変化素子に印加される電圧は略一定であるので、累積使用時間による特性の変化のみを検出することができ、寿命を検出する精度がさらに向上する。
【００２９】
請求項５の発明は、請求項１乃至４のいずれか１項に記載の照明用点灯装置と、当該照明用点灯装置によって点灯する光源とを備えることを特徴とする。
【００３０】
請求項５の発明によれば、照明器具において、特性変化素子を具備した寿命検出回路を複数備え、特性変化素子が一つでも所望の特性まで変化すると寿命信号を出力するので、特性変化素子の個体差による寿命検出時間のばらつきを小さくすることができ、照明用点灯装置が寿命によって故障する前に、確実に機能を停止（消灯）することができる。
【発明の効果】
【００３１】
以上説明したように、本発明では、寿命検出時間のばらつきを小さくし、照明用点灯装置が寿命によって故障する前に、確実に機能を停止することができるという効果がある。
【図面の簡単な説明】
【００３２】
【図１】本発明の実施形態１の概略構成を示す図である。
【図２】同上の累積使用時間に対する故障確立および寿命検出時間の分布図である。
【図３】（ａ）（ｂ）同上の照明器具の構成を示す図である。
【図４】同上の実施形態２の概略構成を示す図である。
【図５】従来例１の概略構成を示すブロック図である。
【図６】同上の寿命制御回路の回路構成を示す図である。
【図７】従来例２の回路構成を示す図である。
【図８】同上の累積使用時間に対する故障確立および寿命検出時間の分布図である。
【発明を実施するための形態】
【００３３】
以下、本発明の実施の形態を図面に基づいて説明する。
【００３４】
（実施形態１）
本発明の実施形態１を図１を用いて説明する。図１は、本実施形態の概略構成図である。本実施形態の照明用点灯装置（以下、点灯装置と略称する）は、図示しない整流ダイオードと平滑コンデンサを備え、交流電源ＡＣが出力する交流電圧を整流して平滑する整流平滑回路１と、整流平滑回路１が出力する整流出力から直流電圧を生成して出力する直流電源回路２と、直流電源回路２が出力する直流電圧を高周波の交流電圧に変換し、光源５に高周波電力を供給する高周波電源３とからなる光源点灯回路４と、光源点灯回路４の寿命を検出する寿命検出部６と、寿命検出部６の検出結果に基づいて、寿命信号を生成する寿命信号生成部７と、寿命信号が出力されると光源５を消灯させる消灯制御部８とで構成されている。
【００３５】
本実施形態の寿命検出部６は、コンデンサＣ１、ＣＸ１（特性変化素子）の直列回路からなる寿命検出回路６ａと、コンデンサＣ２、ＣＸ２（特性変化素子）の直列回路からなる寿命検出回路６ｂとで構成されており、寿命検出回路６ａ、６ｂは、整流平滑回路１の出力端間に設けられている。
【００３６】
寿命信号生成部７は、ダイオードＤ１、Ｄ２と抵抗Ｒ１と定電圧を出力する直流電源Ｅとで構成されている。ダイオードＤ１のアノードは、コンデンサＣ１、ＣＸ１間に接続されており、カソードは抵抗Ｒ１の一端に接続されている。また、ダイオードＤ２のアノードは、コンデンサＣ２、ＣＸ２間に接続されており、カソードは抵抗Ｒ１の一端に接続されている。また、抵抗Ｒ１の他端は直流電源Ｅの正極に接続されており、抵抗Ｒ１と直流電源Ｅは、コンデンサＣＸ１、ＣＸ２と並列に接続されている。
【００３７】
上記の構成において、整流平滑回路１が出力する整流出力がコンデンサＣ１、ＣＸ１および、コンデンサＣ２、ＣＸ２とで分圧され、コンデンサＣＸ１の両端電圧Ｖｃｘ１および、コンデンサＣＸ２の両端電圧Ｖｃｘ２と、直流電源Ｅの出力電圧Ｖｅとの大小関係によって抵抗Ｒ１に電流Ｉが流れ、抵抗Ｒ１に両端電圧（寿命信号）が生じる。なお、コンデンサＣＸ１、ＣＸ２は、同じ種類で同容量のコンデンサである。初期状態における、両端電圧Ｖｃｘ１、Ｖｃｘ２と、出力電圧Ｖｅの関係は、Ｖｃｘ１、Ｖｃｘ２＜Ｖｅであり、抵抗Ｒ１に電流Ｉは流れない。しかし、累積使用時間が増大するにしたがって、劣化によりコンデンサＣＸ１、ＣＸ２の容量が低減することによって、コンデンサＣＸ１、ＣＸ２のコンダクタンスが増加し、両端電圧Ｖｃｘ１、Ｖｃｘ２が大きくなる。そして、両端電圧Ｖｃｘ１、Ｖｃｘ２のうち、いずれか一方でも出力電圧Ｖｅよりも大きくなると、抵抗Ｒ１に電流Ｉが流れる。なお、コンデンサＣ１、Ｃ２は劣化による容量の低減の度合いが小さいコンデンサを用いている。
【００３８】
そして、消灯制御部８は抵抗Ｒ１の両端電圧（寿命信号）を検出しており、抵抗Ｒ１に電流Ｉが流れ、抵抗Ｒ１の両端電圧が所定値を上回ると、光源点灯回路４は累積使用時間の増大による寿命であると判断し、高周波電源３と光源５との間に設けられたスイッチＳＷをオフし、光源５を消灯する。
【００３９】
図２に、本実施形態の点灯装置における累積使用時間に対する点灯装置の故障確率の分布Ａおよび、寿命検出時間の分布Ｂを示す。分布Ａは、光源点灯回路４の回路素子の寿命が経過したことによる点灯装置が故障する確率の分布であり、累積使用時間がｔａ１〜ｔａ３間に点灯装置の故障が発生し、累積使用時間ｔａ２が最も点灯装置の故障確率が高い。また、分布Ａの平均値はｔａ２であり、分布Ａはｔａ２を軸に略対称に形成されている。
【００４０】
また、分布Ｂは、寿命検出部６による寿命検出時間の分布であり、累積使用時間がｔｂ１〜ｔｂ３間に点灯装置の寿命を検出し、累積使用時間ｔｂ２が最も点灯装置の寿命を検出している時間である。また、分布Ｂの平均値はｔｂ２であり、分布Ｂはｔｂ２を軸に略対称に形成されている。
【００４１】
本実施形態の寿命検出部６は、２つの寿命検出回路６ａ、６ｂを備えており、劣化によって寿命検出回路６ａ、６ｂのコンデンサＣＸ１、ＣＸ２のうち、どちらか一方でも容量が低減して抵抗Ｒ１に電流Ｉが流れると、光源点灯回路４は寿命であると判断して光源５を消灯する。したがって、個体差によってコンデンサＣＸ１、ＣＸ２の初期容量や、容量の低減する速度がばらついたとしても、寿命検出時間のばらつきは大幅に低減され、分布Ｂに示すように寿命検出時間は平均値ｔｂ２付近に集まっている。
【００４２】
それによって、分布Ａと分布Ｂとが重なる面積Ｓ１は、図８で示した分布Ａと分布Ｃとが重なる面積Ｓ２より大幅に小さくすることができ、寿命を検出していないのにも関わらず、点灯装置に故障が発生し、危険な状態となる確率は大きく低減される。
【００４３】
また、分布Ａの平均値ｔａ２と分布Ｂの平均値ｔｂ２と、図８で示した分布Ｃの平均値ｔｃ２との関係は、ｔｂ２＜ｔｃ２＜ｔａ２となり、本実施形態の寿命検出時間の平均値ｔｂ２は、従来例２の寿命検出時間の平均値ｔｃ２よりも短くなっている。これは、コンデンサＣＸ１、ＣＸ２のうち早く容量が低減したほうのコンデンサに基づいて寿命検出時間が決定されるためである。それによって、分布Ａと分布Ｂとが重なる面積Ｓ１をより小さくすることができ、より確実に点灯装置が故障する前に光源５を消灯することができる。
【００４４】
また、点灯装置の使用環境によって、点灯装置の寿命時間が変動する。例えば、点灯装置の周囲温度が高温であったり、光源点灯回路４においてチョークコイル等の１００℃程度の高熱源の付近に例えばコンデンサが配置されていると、劣化によってコンデンサの容量が低減する速度が速くなり、故障が発生して危険な状態となる累積使用時間が短くなる。そこで、コンデンサＣＸ１を例えばチョークコイル付近などの高温箇所に配置し、コンデンサＣＸ２を例えばチョークコイル等の熱源から離れた低温箇所に配置する。それによって、点灯装置の周囲温度や光源点灯回路４の回路素子の配置構成等の点灯装置の使用環境に応じた寿命時間を検出することができる。
【００４５】
また、寿命検出部６を整流平滑回路１の出力端間に設けることによって、コンデンサＣＸ１、ＣＸ２に印加される電圧の変動が少ないので、累積使用時間による特性の変化を検出しやすく、寿命を検出する精度が向上する。
【００４６】
また、本実施形態では、コンデンサＣＸ１、ＣＸ２を用いて寿命検出回路を構成したが、累積使用時間によって特性が変化する例えばチョークコイル等の素子であればよい。
【００４７】
また、本実施形態の寿命検出部６は、２つの寿命検出回路６ａ、６ｂとで構成されているが、さらに多くの寿命検出回路を備えていてもよい。それによって、寿命検出時間のばらつきをさらに小さくすることができる。
【００４８】
また、本実施形態の光源５は、高周波電源３から高周波電力を供給されて点灯する有極放電灯であるが、例えば無電極放電灯を点灯する点灯装置や、ＬＥＤを点灯する点灯装置に、上記で説明した寿命検出部６、寿命信号生成部７、消灯制御部８を備えることでも本実施形態と同様の効果を得ることができる。
【００４９】
次に、上記で説明した点灯装置を備えた照明器具の例として、図３（ａ）（ｂ）に示すような照明器具Ｘ、Ｙが考えられる。図３（ａ）は、照明器具Ｘの一部が破断した正面図、図３（ｂ）は照明器具Ｙの外観斜視図である。図３（ａ）に示す照明器具Ｘの筐体９は内部に点灯装置および光源５を具備し、内部空間を密閉することにより防水性能が付与されたものであって、街路灯として屋外で使用される。また、図３（ｂ）に示す照明器具Ｙの筐体１０も内部に点灯装置および光源５を具備し、内部空間を密閉することで防水性能が付与されたものであって、電柱Ｐ等に取り付けられ防犯灯として屋外で使用される。照明器具Ｘ、Ｙは、上記で説明した本発明の点灯装置を備えているので、点灯装置が寿命によって故障する前に、確実に消灯する。
【００５０】
（実施形態２）
図４に実施形態２の点灯装置の概略構成図を示す。
【００５１】
本実施形態は、寿命検出部６の構成と接続箇所が実施形態１の点灯装置と異なり、他の構成は同様であるので、同一符号を付して説明は省略する。本実施形態の寿命検出部６は、コンデンサＣ３、ＣＸ３の直列回路からなる寿命検出回路６ｃと、コンデンサＣ４、ＣＸ４の直列回路からなる寿命検出回路６ｄとで構成されており、寿命検出回路６ｃ、６ｄは、直流電源回路３の出力端間に設けられている。定電圧を出力する直流電源回路３の出力端間に寿命検出回路６ｃ、６ｄを設けることによって、コンデンサＣＸ３、ＣＸ４に印加される電圧は略一定となり、交流電源ＡＣが出力する交流電圧や、整流平滑回路１が出力する整流出力の変動の影響を受けずに、累積使用時間による容量の低減のみを検出することができ、光源点灯回路４の寿命を検出する精度が向上する。
【００５２】
また、寿命検出回路６ｃのコンデンサＣＸ３は、電解コンデンサで構成されている。電解コンデンサの容量が低減する速度は温度に影響されやすく、温度が高い環境で使用すると、劣化による電解コンデンサの容量が低減する速度は速くなる。したがって、光源点灯回路４に電解コンデンサが用いられており、点灯装置の周囲温度が高温である場合は、光源点灯回路４の寿命は短くなるが、寿命検出部６に電解コンデンサで構成されコンデンサＣＸ３を備えていることによって、短くなった光源点灯回路４の寿命を検出し、確実に点灯装置が故障する前に光源５を消灯することができる。
【００５３】
また、コンデンサＣＸ３をフィルムコンデンサで構成してもよい。フィルムコンデンサの容量が低減する速度は湿度に影響されやすく、湿度が高い環境で使用すると、劣化によるフィルムコンデンサの容量が低減する速度は速くなる。したがって、光源点灯回路４にフィルムコンデンサが用いられており、点灯装置の周囲湿度が高い場合は、光源点灯回路４の寿命は短くなるが、寿命検出部６にフィルムコンデンサで構成されたコンデンサＣＸ３を備えていることによって、短くなった光源点灯回路４の寿命を検出し、確実に点灯装置が故障する前に光源５を消灯することができる。
【００５４】
また、例えばコンデンサＣＸ３を電解コンデンサ、コンデンサＣＸ４をフィルムコンデンサで構成するように、電解コンデンサとフィルムコンデンサの両方を用いて寿命検出部６を構成してもよい。それによって、点灯装置の周囲が高温または高湿である場合にでも、確実に点灯装置が故障する前に光源５を消灯することができる。
【符号の説明】
【００５５】
１    整流平滑回路
２    直流電源回路
３    高周波電源
４    光源点灯回路
５    光源
６    寿命検出部
６ａ、６ｂ  寿命検出回路
７    寿命信号生成部
８    消灯制御部
【図１】
2011096413.tif 000003
【図２】
2011096413.tif 000004
【図３】
2011096413.tif 000005
【図４】
2011096413.tif 000006
【図５】
2011096413.tif 000007
【図６】
2011096413.tif 000008
【図７】
2011096413.tif 000009
【図８】
2011096413.tif 000010
【図９】
2011096413.tif 000011
【手続補正書】
【提出日】平成21年11月9日(2009.11.9)
【手続補正１】
【補正対象書類名】図面
【補正対象項目名】図９
【補正方法】削除
【補正の内容】